(57)【要約】【課題】電線に鳥類忌避剤を容易に満遍なく塗布することを可能にする鳥類忌避剤塗布具を提供すること。【解決手段】ジェル状の鳥類忌避剤を内部に収納する容器体１０に取り付けられ、鳥類忌避剤を電線に塗布する鳥類忌避剤塗布具１であって、先端部から容器体１０に収納された鳥類忌避剤５０を外部に吐出させる筒状の吐出部３０と、吐出部３０の先端部に円弧状に形成され、電線に対向配置される一対の凹部３２、３２と、一対の凹部３２、３２における電線に対向する対向面に形成され、電線に当接する突起部３４と、を有する。【選択図】図１
2016178727.tif 000002
【特許請求の範囲】
【請求項１】
ジェル状の鳥類忌避剤を内部に収納する容器体に取り付けられ、前記鳥類忌避剤を電線に塗布する鳥類忌避剤塗布具であって、
先端部から前記容器体に収納された鳥類忌避剤を外部に吐出させる筒状の吐出部と、
当該吐出部の先端部に円弧状に形成され、前記電線に対向配置される一対の凹部と、
当該一対の凹部に形成され、前記電線に当接して、前記電線と前記電線に対向する前記凹部の面との間に隙間を形成する突起部と、を有することを特徴とする鳥類忌避剤塗布具。
【請求項２】
前記先端部の先端面は斜面からなり、
前記一対の凹部は、斜面の最上部位と最下部位とにそれぞれ形成されることを特徴とする請求項１記載の鳥類忌避剤塗布具。
【請求項３】
前記吐出部は、四角筒状であることを特徴とする請求項２記載の鳥類忌避剤塗布具。
【発明の詳細な説明】
【技術分野】
【０００１】
本発明は、既設の電線にジェル状の鳥類忌避剤を塗布する際に用いる鳥類忌避剤塗布具に関する。
【背景技術】
【０００２】
従来より、飛来した鳥類が留まり易い場所は、鳥類が落としたゴミや糞によって汚されるといった問題が発生し易い。そこで、従来、飛来した鳥類が留まり易い場所に、ジェル状の忌避剤を塗布して、鳥類が留まらないようにする技術が提案されている（特許文献１参照）。
【先行技術文献】
【特許文献】
【０００３】
【特許文献１】特開２００５−４７８６５号公報
【発明の概要】
【発明が解決しようとする課題】
【０００４】
ところで、飛来した鳥類が留まり易い場所の例として、電柱や腕金、電柱間に架設される電線等があげられる。電柱や腕金における平たい部分については、忌避剤を塗布することが容易である。しかし、電線は、断面形状が円形でしかも可撓性を有するため、電線の表面に忌避剤を均一な厚さに塗布することは容易ではない。
【０００５】
本発明は、このような問題点を解決し、電線に鳥類忌避剤を容易に満遍なく塗布することを可能にする鳥類忌避剤塗布具を提供することを目的とする。
【課題を解決するための手段】
【０００６】
前記目的を達成するため、本発明は、次に記載する構成を備えている。
【０００７】
（１）  ジェル状の鳥類忌避剤を内部に収納する容器体に取り付けられ、前記鳥類忌避剤を電線に塗布する鳥類忌避剤塗布具であって、先端部から前記容器体に収納された鳥類忌避剤を外部に吐出させる筒状の吐出部と、当該吐出部の先端部に円弧状に形成され、前記電線に対向配置される一対の凹部と、当該一対の凹部に形成され、前記電線に当接して、前記電線と前記電線に対向する前記凹部の面との間に隙間を形成する突起部と、を有することを特徴とする鳥類忌避剤塗布具。
【０００８】
（１）によれば、吐出部内の鳥類忌避剤が、突起部によって形成された隙間を通って電線に満遍なく塗布される。また、鳥類忌避剤が凹部によってならされため、鳥類忌避剤の厚さが突起部の高さ程度に調整される。これにより、電線１００上に鳥類忌避剤による均一な厚さの層が形成することが可能になる。このように、電線に対して鳥類忌避剤を容易に満遍なく塗布することが可能になり、鳥害の発生を防ぐことが可能になる。
【０００９】
（２）  （１）において、前記先端部の先端面は斜面からなり、前記一対の凹部は、斜面の最上部位と最下部位とにそれぞれ形成されることを特徴とする鳥類忌避剤塗布具。
【００１０】
（２）によれば、吐出部３０の先端部が斜めに形成されているため、電線に対して吐出部をスムーズに移動させることが容易になる。これにより、電線上に鳥類忌避剤を容易に塗布することが可能になる。
【００１１】
（３）  （２）において、前記吐出部は、四角筒状であることを特徴とする鳥類忌避剤塗布具。
【００１２】
（３）によれば、吐出部が四角筒状であるため、突起部を電線に当接させた場合に、電線の周囲を平板面によって覆うことが可能になる。これにより、電線の周囲に均一な厚さの鳥類忌避剤による層を形成することが可能になる。
【発明の効果】
【００１３】
本発明によれば、電線に鳥類忌避剤を容易に満遍なく塗布することを可能にする鳥類忌避剤塗布具を提供することが可能になる。
【図面の簡単な説明】
【００１４】
【図１】本発明の一実施形態における鳥類忌避剤塗布具１を容器体１０に取り付けた状態の外観を示す斜視図である。
【図２】本発明の一実施形態における鳥類忌避剤塗布具１に係る吐出部３０の先端部を電線１００に載せた状態を、電線１００の軸方向に沿って視認した場合を示す説明図である。
【図３】本実施形態における鳥類忌避剤塗布具１を用いて、電線１００に鳥類忌避剤５０を塗布している状態を示す説明図である。
【図４】本発明の一実施形態における鳥類忌避剤塗布具１の変形例の外観を示す斜視図である。
【発明を実施するための形態】
【００１５】
以下、本発明の実施形態について、図面を参照しながら詳細に説明する。
本発明の一実施形態における鳥類忌避剤塗布具１を容器体１０に取り付けた状態の外観を示す斜視図である。鳥類忌避剤塗布具１は、電線１００に鳥類が留まらないように、電線１００に鳥類忌避剤５０（図３参照）を塗布する際に用いるものであり、内部にジェル状の鳥類忌避剤５０が収納された容器体１０に取り付けられる。
【００１６】
ここで、容器体１０は、円柱状の中空の容器体であり、可撓性を有する部材によって構成されている。容器体１０における平板状の上面の中央部には、開口部１２が形成されており、この開口部１２から容器体１０の内部に、ジェル状の鳥類忌避剤５０（図３参照）が収納される。また、開口部１２の縁部には、円筒状の突出部が形成されており、この突出部には、外面を螺旋状に周回する突起が形成されている。この突出部にキャップあるいは鳥類忌避剤塗布具１が装着される。
【００１７】
鳥類忌避剤塗布具１は、固定部２０と、吐出部３０と、凹部３２と、突起部３４と、を備えている。
【００１８】
固定部２０は、容器体１０の中央の突出部に螺合して、開口部１２を閉鎖するキャップ体である。
【００１９】
吐出部３０は、固定部２０の中央に立設された硬質の四角筒体からなる。本実施形態の吐出部３０は、軸方向視した場合に正方形となる四角筒体からなる。固定部２０の中央部には、吐出部３０の内部に連通する孔部が形成されており、容器体１０に固定部２０が螺合された状態において、吐出部３０の中心軸は、容器体１０の中心軸に一致するとともに、吐出部３０の内部が容器体１０の内部に連通する。これにより、使用者が、容器体１０を持って容器体１０を潰すように圧力を加えることにより、吐出部３０の先端部から鳥類忌避剤５０が排出される。
【００２０】
吐出部３０の先端面は、図１に示すように、斜面として形成されており、この斜面は、正方形の一辺から、この一辺に対向する一辺側に向かって、下り傾斜している。この斜面の傾斜角（図３に示す符号θ参照）については、３０度以上６０度以下であることが望ましい。なお、本実施形態においては４５度に設定されている。
【００２１】
凹部３２は、吐出部３０の先端部において、斜面の最上部位と最下部位とにそれぞれ弧状に形成されている。凹部３２、３２は、吐出部３０の先端部を、斜面に沿った方向に視認した場合に、図２に示すように、半円形状になるように形成されている。
【００２２】
突起部３４は、凹部３２、３２における、四角筒体の板厚よって形成される面上、言い換えれば、詳細については後述するが凹部３２、３２における電線に対向する面上から突出するように形成されている。突起部３４は、少なくとも凹部３２、３２における最下部位の両側部に形成されていることが望ましい。
【００２３】
図２は、吐出部３０の先端部を電線１００に載せた状態を、電線１００の軸方向に沿って視認した場合を示す説明図である。
【００２４】
図２に示すように、凹部３２における半円の径は、電線１００の径よりも若干大きく設定されている。また、突起部３４は、凹部３２における半円の中心に向かって突出しており、突起部３４の高さは、凹部３２における半円の径と電線１００の径との差に設定されている。
【００２５】
これにより、図２に示すように、吐出部３０の先端部を電線１００に載せ、電線１００に突起部３４が当接した状態において、電線１００と凹部３２の内面との間に等間隔の隙間３６が形成される。
【００２６】
図３は、本実施形態における鳥類忌避剤塗布具１を用いて、電線１００に鳥類忌避剤５０を塗布している状態を示す説明図である。
【００２７】
使用者は、容器体１０（図１参照）に鳥類忌避剤塗布具１を取り付けた後、容器体１０を保持して、図３に示すように、吐出部３０の凹部３２、３２の内部に電線１００を位置付け、図２に示すように、突起部３４を電線１００に当接させる。使用者は、この状態を維持しながら容器体１０に圧力を加え、図３に示すように、吐出部３０の先端部を電線１００に沿って移動させる。これにより、吐出部３０内の鳥類忌避剤５０が、隙間３６を通って電線１００に満遍なく塗布される。また、鳥類忌避剤５０は凹部３２によってならされため、電線１００上に、突起部３４の高さに相当する厚さの鳥類忌避剤５０による層が均一に形成される。
【００２８】
そして、容器体１０の内部に鳥類忌避剤５０がなくなった場合に、固定部２０を回転させて鳥類忌避剤塗布具１を容器体１０から取り外し、新規の鳥類忌避剤５０が充填されている容器体１０の開口部１２を閉鎖しているキャップを、鳥類忌避剤塗布具１に付け替える。
【００２９】
ところで、図２、図３に示す電線１００は、雪が付着しないようにするため、中心軸に対して両側部の一部から径方向に突出する帯状のヒレ１０２を有している。このため、電線１００に塗布された鳥類忌避剤５０は、電線１００の両側部から流下しようとしても、ヒレ１０２によって流れが規制されるため、鳥類忌避剤５０が電線１００から落下することが確実に防止することができる。
【００３０】
なお、本実施形態によれば、鳥類忌避剤５０は凹部３２によってならされ、電線１００上に均一な厚さにすることができるため、部分的に大量の鳥類忌避剤５０が塗布されることが低減できる。また、鳥類忌避剤５０は比較的粘性が高いため、ヒレ１０２がない電線１００であっても十分適用可能である。
【００３１】
以上説明したように構成された本実施形態によれば、電線１００に対して鳥類忌避剤５０を容易に満遍なくしかも均一に塗布することが可能になり、電線１００に留まった鳥類による害を防ぐことが可能になる。また、鳥類が忌避する部材や装置を取り付けるものではないため、電線１００の美観を維持することができる。
【００３２】
また本実施形態によれば、吐出部３０の先端部が斜めに形成されているため、電線１００に対して吐出部３０をスムーズに移動させることが容易になる。これにより、電線１００上に鳥類忌避剤５０を容易に塗布することが可能になる。
【００３３】
また本実施形態によれば、吐出部３０が四角筒状であるため、突起部３４を電線１００に当接させた場合に、電線１００の両側部が平板面によって覆われる。このため、電線１００の両側部に鳥類忌避剤５０を確実に充填するが可能になり、電線１００の周囲に鳥類忌避剤５０の層を形成することが可能になる。
【００３４】
以上、本発明の実施形態について説明したが、本発明の実施形態は、上述した実施形態に限るものではない。例えば、上述した実施形態における鳥類忌避剤塗布具１の吐出部３０は、硬質の四角筒体からなるものであるが、それに限らず、吐出部３０の先端部については、弾性変形可能な部材によって形成してもよい。これにより、径の異なる電線にも柔軟に対応することが可能になる。
【００３５】
また、上述した実施形態においては、固定部２０と吐出部３０とが一体に構成されているが、吐出部３０のみで構成してもよい。これにより、図４に示すように、容器体１０に既に鳥類忌避剤５０を排出するノズル部４０が設けられている場合には、このノズル部４０の先端に吐出部３０からなる鳥類忌避剤塗布具１を装着させるようにしてもよい。
【００３６】
また、上述した実施形態においては、突起部３４の個数が２個であるが、それ以上であってもよい。ここで、突起部３４の個数が多いほど、隙間３６からの鳥類忌避剤５０の吐出量が規制されることから、突起部３４の個数については、鳥類忌避剤５０が必要以上に吐出しないように適宜設定することが可能である。
【００３７】
なお、上述した実施形態においては、吐出部３０の先端部の傾斜角が４５度に設定されているが、本発明においては、吐出部３０の先端部が斜面でない場合、すなわち傾斜角が９０度の場合を除外するものではない。
【符号の説明】
【００３８】
１  鳥類忌避剤塗布具
１０  容器体
１２  開口部
２０  固定部
３０  吐出部
３２  凹部
３４  突起部
３６  隙間
５０  鳥類忌避剤
１００  電線
１０２  ヒレ
【図１】
2016178727.tif 000003
【図２】
2016178727.tif 000004
【図３】
2016178727.tif 000005
【図４】
2016178727.tif 000006